(57)【特許請求の範囲】
【請求項１】
ユーザ通知先情報と共にユーザ購入の宝くじ券に割り当てられたくじ番号の所定の桁数の番号一連の入力と、当せん結果の等級を示す通知条件の入力と、を受付ける入力受付手段と、
前記入力を受付けたユーザ通知先情報と番号一連と前記通知条件とを対応付けて記憶手段に登録するデータ登録手段と、
当せん結果となる当せん番号を読み込む当せん結果読込手段と、
前記当せん結果で示される当せん番号の前記所定の桁数の番号一連と、前記記憶手段に登録された番号一連とを比較して、一致した番号一連が、前記記憶手段において当該番号一連に対応付けられて記録されている通知条件の等級以上の当せん番号の番号一連であるか否かを判定し、等級以上の場合にのみ、前記一致した番号一連に対応付けられて前記記憶手段に記録されているユーザ通知先情報を読み込む通知先判定手段と、
前記読み込んだユーザ通知先情報を用いてユーザ宛てに当せん照合を促す当せん照合依頼情報を送信する当せん照合依頼通知手段と、
ことを特徴とする宝くじ照合管理装置。
【請求項２】
前記入力受付手段は、
同一の番号一連の入力を複数回受付けたと判定した場合には、２つ目以降の同一の番号一連を破棄する
ことを特徴とする請求項１に記載の宝くじ照合管理装置。
【請求項３】
前記入力受付手段は、
複数の前記番号一連の連続した入力を受付け、
前記入力した番号を前記所定の桁数ごとに検出して、当該検出した数字の列を入力された一枚の宝くじ分の登録する番号一連と判定する
ことを特徴とする請求項１に記載の宝くじ照合管理装置。
【請求項４】
前記入力受付手段は、
２つの番号一連の入力を受付け、当該２つの番号一連で示される各番号の間の全ての各番号について、登録する番号一連と判定する
ことを特徴とする請求項１に記載の宝くじ照合管理装置。
【請求項５】
前記入力受付手段は、
入力できる番号一連の選択欄を表示し、当該選択欄で選択された番号を、登録する番号一連と判定する
ことを特徴とする請求項１に記載の宝くじ照合管理装置。
【請求項６】
宝くじ照合管理装置における宝くじ照合管理方法であって、
ユーザ通知先情報と共にユーザ購入の宝くじ券に割り当てられたくじ番号の所定の桁数の番号一連の入力と、当せん結果の等級を示す通知条件の入力と、を受付ける入力受付処理と、
前記入力を受付けたユーザ通知先情報と番号一連と前記通知条件とを対応付けて記憶手段に登録するデータ登録処理と、
当せん結果となる当せん番号を読み込む当せん結果読込処理と、
前記当せん結果で示される当せん番号の前記所定の桁数の番号一連と、前記記憶手段に登録された番号一連とを比較して、一致した番号一連が、前記記憶手段において当該番号一連に対応付けられて記録されている通知条件の等級以上の当せん番号の番号一連であるか否かを判定し、等級以上の場合にのみ、前記一致した番号一連に対応付けられて前記記憶手段に記録されているユーザ通知先情報を読み込む通知先判定処理と、
前記読み込んだユーザ通知先情報を用いてユーザ宛てに当せん照合を促す当せん照合依頼情報を送信する当せん照合依頼通知処理と、
を有することを特徴とする宝くじ照合管理方法。
【請求項７】
宝くじ照合管理装置のコンピュータに実行させるプログラムであって、
ユーザ通知先情報と共にユーザ購入の宝くじ券に割り当てられたくじ番号の所定の桁数の番号一連の入力と、当せん結果の等級を示す通知条件の入力と、を受付ける入力受付処理と、
前記入力を受付けたユーザ通知先情報と番号一連と前記通知条件とを対応付けて記憶手段に登録するデータ登録処理と、
当せん結果となる当せん番号を読み込む当せん結果読込処理と、
前記当せん結果で示される当せん番号の前記所定の桁数の番号一連と、前記記憶手段に登録された番号一連とを比較して、一致した番号一連が、前記記憶手段において当該番号一連に対応付けられて記録されている通知条件の等級以上の当せん番号の番号一連であるか否かを判定し、等級以上の場合にのみ、前記一致した番号一連に対応付けられて前記記憶手段に記録されているユーザ通知先情報を読み込む通知先判定処理と、
前記読み込んだユーザ通知先情報を用いてユーザ宛てに当せん照合を促す当せん照合依頼情報を送信する当せん照合依頼通知処理と、
を実行することを特徴とするプログラム。
【請求項８】
請求項７に記載のプログラムを記憶する記録媒体。
【発明の詳細な説明】
【技術分野】
【０００１】
本発明は、ユーザに当せんの可能性の有る宝くじ券を購入した旨を通知するための宝くじ照合管理装置及び宝くじ照合管理方法並びにそのプログラムと記録媒体に関する。
【背景技術】
【０００２】
従来、宝くじの購入者は、購入した宝くじ券と当せん情報とを照合して、当せん判定を行なっている。この当せん判定の作業は、宝くじ券の購入枚数が多いほど労力が増すが、購入者の利便性を高めるために、宝くじ売場には当せん判定機が設置されている。また近年、通信ネットワーク技術の高度化に伴い、購入した宝くじ券の番号を、通信ネットワークを介して端末からサーバに登録しておき、後日、当せんした宝くじ券の通知を受ける仕組みなどが公開されている（例えば、特許文献１参照）。
【特許文献１】特開２００２−３６６７０１号公報（図４４）
【発明の開示】
【発明が解決しようとする課題】
【０００３】
ところで、上述の特許文献１の技術で示されているように、宝くじ券の当せん判定の通知を受けるためには、全ての宝くじ番号をサーバに登録しなければならず、やはり、購入枚数が多い場合には、その入力に手間がかかり、ユーザにとって利便性が良いとはいえない。また、宝くじ券の枚数は億単位の量で販売されるので、当せん判定処理のサーバ負荷軽減を考慮する必要がある。
【０００４】
そこでこの発明は、ユーザの、宝くじ当せん判定を行う為の購入宝くじ券の登録作業の軽減と、当せん判定処理のサーバ負荷の軽減を図ることができる、宝くじ照合管理装置及び宝くじ照合管理方法並びにそのプログラムと記録媒体を提供することを目的としている。
【課題を解決するための手段】
【０００５】
上記目的を達成するために、本発明は、ユーザ通知先情報と共にユーザ購入の宝くじ券に割り当てられたくじ番号の所定の桁数の番号一連の入力と、当せん結果の等級を示す通知条件の入力と、を受付ける入力受付手段と、前記入力を受付けたユーザ通知先情報と番号一連と前記通知条件とを対応付けて記憶手段に登録するデータ登録手段と、当せん結果となる当せん番号を読み込む当せん結果読込手段と、前記当せん結果で示される当せん番号の前記所定の桁数の番号一連と、前記記憶手段に登録された番号一連とを比較して、一致した番号一連が、前記記憶手段において当該番号一連に対応付けられて記録されている通知条件の等級以上の当せん番号の番号一連であるか否かを判定し、等級以上の場合にのみ、前記一致した番号一連に対応付けられて前記記憶手段に記録されているユーザ通知先情報を読み込む通知先判定手段と、前記読み込んだユーザ通知先情報を用いてユーザ宛てに当せん照合を促す当せん照合依頼情報を送信する当せん照合依頼通知手段と、ことを特徴とする宝くじ照合管理装置である。
【０００６】
また本発明は、上述の宝くじ照合管理装置において、前記入力受付手段は、同一の番号一連の入力を複数回受付けたと判定した場合には、２つ目以降の同一の番号一連を破棄することを特徴とする。
【０００７】
また本発明は、上述の宝くじ照合管理装置において、前記入力受付手段は、複数の前記番号一連の連続した入力を受付け、前記入力した番号を前記所定の桁数ごとに検出して、当該検出した数字の列を入力された一枚の宝くじ分の登録する番号一連と判定することを特徴とする。
【０００８】
また本発明は、上述の宝くじ照合管理装置において、前記入力受付手段は、２つの番号一連の入力を受付け、当該２つの番号一連で示される番号の間の全ての各番号について、登録する番号一連と判定することを特徴とする。
【０００９】
また本発明は、上述の宝くじ照合管理装置において、前記入力受付手段は、入力できる番号一連の選択欄を表示し、当該選択欄で選択された番号を、登録する番号一連と判定することを特徴とする。
【００１１】
また本発明は、宝くじ照合管理装置における宝くじ照合管理方法であって、ユーザ通知先情報と共にユーザ購入の宝くじ券に割り当てられたくじ番号の所定の桁数の番号一連の入力と、当せん結果の等級を示す通知条件の入力と、を受付ける入力受付処理と、前記入力を受付けたユーザ通知先情報と番号一連と前記通知条件とを対応付けて記憶手段に登録するデータ登録処理と、当せん結果となる当せん番号を読み込む当せん結果読込処理と、前記当せん結果で示される当せん番号の前記所定の桁数の番号一連と、前記記憶手段に登録された番号一連とを比較して、一致した番号一連が、前記記憶手段において当該番号一連に対応付けられて記録されている通知条件の等級以上の当せん番号の番号一連であるか否かを判定し、等級以上の場合にのみ、前記一致した番号一連に対応付けられて前記記憶手段に記録されているユーザ通知先情報を読み込む通知先判定処理と、前記読み込んだユーザ通知先情報を用いてユーザ宛てに当せん照合を促す当せん照合依頼情報を送信する当せん照合依頼通知処理と、を有することを特徴とする宝くじ照合管理方法である。
【００１２】
また本発明は、宝くじ照合管理装置のコンピュータに実行させるプログラムであって、ユーザ通知先情報と共にユーザ購入の宝くじ券に割り当てられたくじ番号の所定の桁数の番号一連の入力と、当せん結果の等級を示す通知条件の入力と、を受付ける入力受付処理と、前記入力を受付けたユーザ通知先情報と番号一連と前記通知条件とを対応付けて記憶手段に登録するデータ登録処理と、当せん結果となる当せん番号を読み込む当せん結果読込処理と、前記当せん結果で示される当せん番号の前記所定の桁数の番号一連と、前記記憶手段に登録された番号一連とを比較して、一致した番号一連が、前記記憶手段において当該番号一連に対応付けられて記録されている通知条件の等級以上の当せん番号の番号一連であるか否かを判定し、等級以上の場合にのみ、前記一致した番号一連に対応付けられて前記記憶手段に記録されているユーザ通知先情報を読み込む通知先判定処理と、前記読み込んだユーザ通知先情報を用いてユーザ宛てに当せん照合を促す当せん照合依頼情報を送信する当せん照合依頼通知処理と、を実行することを特徴とするプログラムである。
【００１３】
また本発明は、上述のプログラムを記憶する記録媒体である。
【発明の効果】
【００１４】
本発明によれば、ユーザは購入した宝くじ券の番号の全ての桁を入力せずに、所定の桁数のみを入力すればよいので、当せんの可能性のある宝くじ券の通知を受け取るための宝くじ番号登録作業における、その労力を軽減することができる。
またサーバは、当せん結果とユーザ購入宝くじ券の各番号との、所定の桁数の番号のみを比較すればよいので、全ての桁を比較する場合にくらべて、負荷を軽減することができる。
また、購入宝くじ番号における所定の桁数の一連の番号の入力の際に、各番号における所定の桁数の番号の連続する数字の入力を行なう仕組みや、宝くじ券が連番である場合の所定の桁数の番号末尾の最小番号と最大番号のみを入力する仕組みや、宝くじ券の所定の桁数の番号を１つずつ選択するマトリクス状の宝くじ番号登録欄において選択する仕組みを提供することにより、さらに、当せんの可能性のある宝くじ券の通知を受け取るための登録を行なう際の労力を軽減することができる。
【発明を実施するための最良の形態】
【００１５】
以下、本発明の一実施形態による宝くじ照合管理装置を図面を参照して説明する。図１は同実施形態による宝くじ照合管理装置の構成を示すブロック図である。この図において、符号１は宝くじ照合管理装置である。また２はＰＣ（Personal Computer）などの端末である。宝くじ照合管理装置１と端末２とは通信ネットワークを介して接続されている。通信ネットワークは例えばインターネットなどである。
【００１６】
そして宝くじ照合管理装置１において、符号１１は端末より情報を受付ける受付管理部である。また１２は受付管理部（入力受付手段）において受付けた情報をＤＢ（データベース）に登録する処理を行なう登録管理部（データ登録手段）である。また１３は当せん結果とＤＢに登録されているユーザ購入済みの宝くじの番号の一部とを比較して、当せんの可能性があるか否かを判定する照合管理部（当せん結果読込手段、通知先判定手段）である。また１４は当せんの可能性がある宝くじ番号の一部を登録したユーザに、当せんの可能性がある旨の情報を通知する送信管理部（当せん照合依頼通知手段）である。また１５は登録情報テーブルと当せん結果テーブルとを保持するＤＢである。
【００１７】
そして、本実施形態における宝くじ照合管理装置１は、ユーザにより登録された宝くじ番号の一部と当せん結果とを比較して、当せんの可能性がある宝くじ券をユーザが購入した場合に、当せん照合を促す通知を行う。そしてこれらのサービスをユーザに提供するにあたり、宝くじ照合管理装置１は、宝くじ当せん判定を行う為の購入宝くじの番号のユーザによる登録作業の軽減を行なうための機能と、当せん判定処理のサーバ負荷の軽減を図ることができる機能とを備えている。
【００１８】
図２は登録情報テーブルの概要を示す図である。
この図が示すように、登録情報テーブルには、ユーザの端末２が宛先となるメールアドレス（ユーザ通知先情報）と、ユーザの購入した宝くじの種類を把握するためのブロック番号、回号と、宝くじ券の下二桁の番号と、通知条件とが登録される。これらの情報は全て端末２からユーザの操作によって宝くじ照合管理装置１に登録された情報である。なお、ブロック番号とは、販売地域を特定する番号である。また回号とは、ある宝くじ券の販売回数を表す番号である。また通知条件は宝くじの当せん等級の番号で示され、ユーザの購入した宝くじの等級が通知条件以上の等級である場合には、その番号についての当せん可能性有りの情報を、テーブルに登録されているメールアドレス宛てに送信される。また、本実施形態において登録する番号は、宝くじ券の下二桁と規定されているものとするが、下３桁、下４桁でもよく、また組を含むようにしてもよく、その形態は実施可能な範囲で規定することができる。
【００１９】
図３は当せん結果テーブルの概要を示す図である。
この図が示すように、当せん結果テーブルには、当せん宝くじ券の、ブロック、回号、等級、当せん金額、組、番号などが対応付けられて登録される。この当せん結果テーブルの情報は、管理者による装置への入力や、通信ネットワーク介した他装置から情報の受信によって、登録される。
【００２０】
図４は宝くじ照合管理装置の処理フローを示す図である。
次に、本実施形態による宝くじ照合管理装置の処理について説明する。
まず、ユーザが宝くじを購入した後、端末２を用いて宝くじ照合管理装置１に接続する（ステップＳ１）。例えば端末２にはウェブブラウザの機能が備えられ、宝くじ照合管理装置１にはウェブサーバの機能が備えられている。これにより宝くじ照合管理装置１は端末２からの通信接続によって、当該端末２に照合判定サービス画面のウェブページを送信する（ステップＳ２）。すると端末２の表示処理部が画面に照合判定サービス画面を表示する（ステップＳ３）。ここで、この照合判定サービス画面は、ユーザに対して、登録情報テーブルに登録するための情報の入力を促す欄と、登録要求ボタンとを表示する。情報の入力を促す欄は、例えば、メールアドレス登録欄、ブロック番号登録欄、回号登録欄、宝くじ番号下２桁登録欄、通知条件登録欄などである。
【００２１】
ユーザが、画面に表示された照合判定サービス画面の各登録欄にマウスやキーボードを用いて情報を入力すると、端末２が受付ける（ステップＳ４）。ユーザは購入宝くじ券が複数ある場合には、全ての宝くじ券の下２桁を入力してもよい。つまり、下２桁を入力する欄は多数存在するものとする。そしてユーザは、画面の登録要求ボタンをマウスを用いてクリックなどすることにより、登録指示を入力し、それを端末２が受付ける（ステップＳ５）。端末２は登録指示の入力を受付けると、次に、各登録欄に入力された情報を保持する登録指示情報を宝くじ照合管理装置１へ送信する（ステップＳ６）。
【００２２】
宝くじ照合管理装置１では、受付管理部１１が登録指示情報を通信ネットワークを介して受信する。受付管理部１１は、登録指示情報から、メールアドレス、ブロック番号、回号、１つ以上の宝くじ番号下２桁の番号、通知条件を読みとる。そして、複数の宝くじ券の下２桁の番号をそれぞれ比較して、同一のものがあれば、２つ目以降の同一の番号を削除する。そして登録管理部１１が、メールアドレス、ブロック番号、回号、１つ以上の宝くじ番号下２桁、通知条件とを対応付けて、登録情報テーブルに記録する（ステップＳ７）。これらの登録した情報は、以降の処理により、当せん結果と一致する場合などにユーザに通知されることとなるが、同一の番号の数をカウントして登録情報テーブルに記録しておき、ユーザに当せんの可能性を通知する際に、当せんの可能性がある枚数を通知できるようにしてもよい。
【００２３】
このような状況において、宝くじ照合管理装置１には、後日当せん番号が決定すると、ブロック番号、回号、等級、当せん金額、組、番号などの当せん結果の情報がＤＢ１５の当せん結果テーブルに登録される（ステップＳ８）。例えば管理者による情報の入力や、他装置からの通信ネットワークを介した情報の受信によって、登録管理部１２が、ＤＢ１５の当せん結果テーブルに登録する。当せん結果が登録されると、その登録を契機に当せん判定の処理開始の指示を照合管理部１３が受付ける（ステップＳ９）。
【００２４】
処理開始の指示の入力を受付けると照合管理部１３は、当せん結果で示される、ブロック番号と回号との組合せと同じブロック番号と回号の組合せに対応付けられて、登録情報テーブルに記録されているメールアドレスと下２桁の番号と通知条件との組合せを読取る。そしてその読取った情報（メールアドレスと下２桁の番号と通知条件との組合せ）のうち、当せん結果で示される当せん宝くじ券の番号の下２桁と同一の番号を含む情報を抽出する。またさらに、その抽出した情報の中から、前記下２桁の番号をもつ当せん宝くじ番号の等級と、通知条件で示される当せんの等級とを比較して、当せん宝くじ番号の等級≧通知条件の等級である情報、つまり、通知条件で示される等級以上の当せんの可能性の有る購入宝くじ券の情報を抽出する（ステップＳ１０）。
【００２５】
そして、最終的に抽出したメールアドレスと下２桁の番号と通知条件との組合せに対応付けられて登録情報テーブルに記録されているメールアドレスを、ユーザ通知先の情報と特定する（ステップＳ１１）。そして、送信管理部１４が、ユーザ通知先と特定されたメールアドレスへ、購入宝くじ券が当せんの可能性が有る旨を示す電子メール（当せん照合依頼情報）を自動生成して送信する（ステップＳ１２）。これによりユーザの購入した宝くじ券の番号が、通知条件の示す等級以上の等級の当せん番号である可能性がある場合にのみ、ユーザに通知することとなる。そして、購入宝くじ券が当せんしている可能性がある旨をユーザに自動通知するので、ユーザに対して当せん照合を促すことができる。
【００２６】
次に、他の照合判定サービス画面を用いて購入宝くじ券の情報の登録を行なう場合の第２の例について説明する。
照合判定サービス画面は、例えば、ユーザが購入した複数宝くじ券の各番号における所定の桁数の番号末尾の、連続する数字の入力を受付ける、宝くじ番号登録欄を表示するものであってもよい。その場合、ユーザは、マウスやキーボードを用いて当該宝くじ番号登録欄に、購入した複数宝くじ券の各番号における所定の桁数の番号末尾の、連続する数字を入力する。つまり、例えば購入した宝くじ券が連番の１０枚で、各宝くじ券の下２桁の末尾が００〜０９であった場合には、ユーザは、番号の入力欄に“０００１０２０３０４０５０６０７０８０９”と入力する。そして、この照合判定サービス画面においてユーザが、登録要求ボタンをマウスを用いてクリックなどすることにより、登録指示を入力すると、端末２は各登録欄に入力された情報を保持する登録指示情報を宝くじ照合管理装置１へ送信する。これによりユーザは宝くじ券ごとに番号の入力欄を変更する作業をおこなわず、１つの欄に入力していけばよいので、ユーザの各購入宝くじ券の下２桁の入力の労力を軽減することができる。
【００２７】
宝くじ照合管理装置１では、受付管理部１１が登録指示情報を通信ネットワークを介して受信する。そして、受付管理部１１は、登録指示情報から、メールアドレス、ブロック番号、回号、１つ以上の宝くじ券の番号末尾の連続する数字、通知条件を読みとる。そして、受付管理部１１は、登録される番号が２桁と設定されているので、番号末尾の連続する数字を２桁ずつに順次区分け、各宝くじ券の下２桁を検出する。そして、メールアドレス、ブロック番号、回号、１つ以上の宝くじ番号下２桁の番号、通知条件とを対応付けて、登録情報テーブルに記録する。なお、同一の下２桁の番号が複数ある場合には、２つ目以降の同一の番号を削除する。
【００２８】
次に、他の照合判定サービス画面を用いて購入宝くじ券の情報の登録を行なう場合の第３の例について説明する。
照合判定サービス画面は、例えば、ユーザが購入した宝くじ券が連番である場合の所定の桁数の番号末尾の最小番号と最大番号のみを受付ける宝くじ番号登録欄を表示するものであってもよい。その場合、ユーザは、マウスやキーボードを用いて当該宝くじ番号登録欄に、購入した宝くじ券の連番の各番号における所定の桁数の番号末尾の、最小番号と最大番号の２つを入力する。つまり、例えば購入した宝くじ券が連番の１０枚で、各宝くじ券の下２桁の末尾が００〜０９であった場合には、ユーザは、最小番号の入力欄に“００”、最大番号に“０９”と入力する。そして、この照合判定サービス画面においてユーザが、登録要求ボタンをマウスを用いてクリックなどすることにより、登録指示を入力すると、端末２は各登録欄に入力された情報を保持する登録指示情報を宝くじ照合管理装置１へ送信する。これによりユーザの各購入宝くじ券の下２桁の入力の労力を軽減することができる。
【００２９】
宝くじ照合管理装置１では、受付管理部１１が登録指示情報を通信ネットワークを介して受信する。そして、受付管理部１１は、登録指示情報から、メールアドレス、ブロック番号、回号、購入した宝くじ券の連番の各番号における所定の桁数の番号末尾の最小番号と最大番号、通知条件を読みとる。そして、受付管理部１１は、登録される番号が２桁と設定されているので、最小番号の００〜最大番号の０９までの各番号、つまり００、０１、０２、０３、０４、０５、０６、０７、０８、０９を、ユーザが購入した各宝くじ券の下２桁を検出する。そして、メールアドレス、ブロック番号、回号、宝くじ番号下２桁の番号、通知条件とを対応付けて、登録情報テーブルに記録する。
【００３０】
次に、他の照合判定サービス画面を用いて購入宝くじ券の情報の登録を行なう場合の第４の例について説明する。
照合判定サービス画面は、例えば、ユーザが購入した宝くじ券の所定の桁数の番号末尾を１つずつ選択するマトリクス状の宝くじ番号登録欄を表示するものであってもよい。その場合、ユーザは、マウスやキーボードを用いて当該宝くじ番号登録欄において、購入宝くじ券所定の桁数の番号末尾を選択する。そして、この照合判定サービス画面においてユーザが、登録要求ボタンをマウスを用いてクリックなどすることにより、登録指示を入力すると、端末２は各登録欄に入力された情報を保持する登録指示情報を宝くじ照合管理装置１へ送信する。これによりユーザの各購入宝くじ券の下２桁の入力の労力を軽減することができる。
【００３１】
宝くじ照合管理装置１では、受付管理部１１が登録指示情報を通信ネットワークを介して受信する。そして、受付管理部１１は、登録指示情報から、メールアドレス、ブロック番号、回号、購入した宝くじ券の各番号における所定の桁数の番号末尾、通知条件を読みとる。そして、受付管理部１１は、メールアドレス、ブロック番号、回号、宝くじ番号下２桁の番号、通知条件とを対応付けて、登録情報テーブルに記録する。
【００３２】
図５はマトリクス状の宝くじ番号登録欄の第１の例を示す図である。
この図が示すように、マトリクス状の宝くじ番号登録欄は、例えば下２桁の番号を列（下１桁目）と行（下２桁目）で特定するチェックボックスであり、ユーザはこのチェックボックスをクリックして選択することにより、購入した宝くじ券の所定の桁数の番号末尾を１つずつ選択する。
【００３３】
図６はマトリクス状の宝くじ番号登録欄の第２の例を示す図である。
この図が示すように、マトリクス状の宝くじ番号登録欄は、例えば下２桁の番号００〜９９のそれぞれを選択する番号ボタンであり、ユーザはこの番号ボタンをクリックして選択することにより、購入した宝くじ券の所定の桁数の番号末尾を１つずつ選択する。
【００３４】
なお上述の宝くじ照合管理装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３５】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３６】
【図１】宝くじ照合管理装置の構成を示すブロック図である。
【図２】登録情報テーブルの概要を示す図である。
【図３】当せん結果テーブルの概要を示す図である。
【図４】宝くじ照合管理装置の処理フローを示す図である。
【図５】マトリクス状の宝くじ番号登録欄の第１の例を示す図である。
【図６】マトリクス状の宝くじ番号登録欄の第２の例を示す図である。
【符号の説明】
【００３７】
１・・・宝くじ照合管理装置、２・・・端末、１１・・・受付管理部、１２・・・登録管理部、１３・・・照合管理部、１４・・・送信管理部、１５・・・ＤＢ
【図１】
0004694936.tif 000002
【図２】
0004694936.tif 000003
【図３】
0004694936.tif 000004
【図４】
0004694936.tif 000005
【図５】
0004694936.tif 000006
【図６】
0004694936.tif 000007